(57)【要約】【課題】構造躯体の強度を確保しつつ天井高を上げる。【解決手段】建物１は、上階２と下階３を有する。建物１は、下階３に配置される、上下方向に延出する柱４と、柱４により支持される第１の梁５と、第１の梁５の上に固定される、上階２の床２Ａを支持するための第２の梁６と、を備える。そして、下階３の天井部材が第２の梁６により支持される。  建物１は、上階２と下階３の外壁となる、外壁パネル１２Ａと外壁パネル１２Ｂ備える。  外壁パネル１２Ａと外壁パネル１２Ｂの接合部１３は、第２の梁６の上端から第１の梁５の下端での範囲と上下方向で重なる位置にある。【選択図】図１
2018159243.tif 000002
【特許請求の範囲】
【請求項１】
上階と下階を有する建物であって、
前記下階に配置される、上下方向に延出する支持部材と、
前記支持部材により支持される第１の梁と、
前記第１の梁の上に固定される、前記上階の床を支持するための第２の梁と、を備え、
前記下階の天井部材が前記第２の梁により支持されることを特徴とする建物。
【請求項２】
前記上階と前記下階の外壁となる、第１の外壁部と第２の外壁部を備え、
前記第１の外壁部と前記第２の外壁部の接合部は、前記第１の梁の下端から前記第２の梁の上端までの範囲と上下方向で重なる位置にあることを特徴とする請求項１に記載の建物。
【請求項３】
前記第１の外壁部と前記第２の外壁部が略同じサイズであることを特徴とする請求項２に記載の建物。
【請求項４】
前記第１の梁と前記第２の梁の断面が略同じ形状であることを特徴とする請求項１乃至３のいずれかに記載の建物。
【請求項５】
前記第１の梁と、前記第２の梁の上下方向の長さが異なることを特徴とする請求項１又は２に記載の建物。
【請求項６】
前記支持部材は、柱であり、
前記第１の梁は、前記第２の梁よりも断面積が大きいことを特徴とする請求項５に記載の建物。
【発明の詳細な説明】
【技術分野】
【０００１】
本発明は、建物に関する。
【背景技術】
【０００２】
建物の天井を構築する際に、例えば桟木からなる天井パネル等の下地材を梁の下方位置に配置し、石膏ボード等の天井板を下地材の下面に固定することがある。例えば、特許文献１には、梁に取り付けた吊り金物を利用して、下地材を梁に吊り下げて支持することが開示されている。
また、天井パネルが取り付けられる梁は、柱や耐力壁等の支持部材により支持されることが一般的である。
【先行技術文献】
【特許文献】
【０００３】
【特許文献１】特開平８−２７０１３５号公報
【発明の概要】
【発明が解決しようとする課題】
【０００４】
ところで、上記の従来構造において、天井高を上げる場合には、柱等の支持部材を長くすることが考えられる。しかしながら、単純に支持部材を長くすることで天井高を上げると、構造躯体に十分な強度が確保できない虞があった。
【０００５】
本発明は上記の課題に鑑みてなされたものであって、その目的は、構造躯体の強度を確保しつつ天井高を上げることができる建物を提供することにある。
【課題を解決するための手段】
【０００６】
前記課題は、本発明に係る建物によれば、上階と下階を有する建物であって、前記下階に配置される、上下方向に延出する支持部材と、前記支持部材により支持される第１の梁と、前記第１の梁の上に固定される、前記上階の床を支持するための第２の梁と、を備え、前記下階の天井部材が前記第２の梁により支持されることにより解決される。
上記の建物によれば、支持部材を長くすることなく、下階の天井高を上げることができる。これにより、構造躯体の強度を確保したまま天井高を上げることができる。
【０００７】
また、上記の建物において、前記上階と前記下階の外壁となる、第１の外壁部と第２の外壁部を備え、前記第１の外壁部と前記第２の外壁部の接合部は、前記第１の梁の下端から前記第２の梁の上端までの範囲と上下方向で重なる位置にあると好適である。
こうすることで、第１の外壁部と第２の外壁部のそれぞれに第１の梁と第２の梁が対向するように配置可能なため、第１の外壁部と第２の外壁部を建物の躯体に取り付けしやすくなる。
【０００８】
また、上記の建物において、前記第１の外壁部と前記第２の外壁部が略同じサイズであると好適である。
こうすることで、第１の外壁部と第２の外壁部を共通化することができる。
【０００９】
また、上記の建物において、前記第１の梁と前記第２の梁の断面が略同じ形状であると好適である。
こうすることで、第１の梁と第２の梁を共通化することができる。
【００１０】
また、上記の建物において、前記第１の梁と、前記第２の梁の上下方向の長さが異なると好適である。
こうすることで、上階の床の高さと下階の天井高を、第１の梁と第２の梁の上下方向の長さに応じて調整することができる。
【００１１】
また、上記の建物において、前記支持部材は、柱であり、前記第１の梁は、前記第２の梁よりも断面積が大きいと好適である。
こうすることで、第１の梁を支持する柱の配置間隔を広くすることができる。これにより、下階に大きな開口を設けることができる。
【発明の効果】
【００１２】
本発明に係る建物によれば、構造躯体の強度を確保しつつ天井高を上げることができる。
【図面の簡単な説明】
【００１３】
【図１】第１の実施形態に係る建物の構造の要部を模式的に示す図である。
【図２】第１の梁と第２の梁の支持構造を模式的に示す図である。
【図３】第２の梁による天井パネルの支持構造を模式的に示す図である。
【図４】第１の梁の変形例を説明する図である。
【図５】第２の実施形態に係る建物の構造の要部を模式的に示す図である。
【発明を実施するための形態】
【００１４】
以下、図１乃至図５に基づき、本発明の実施の形態（以下、実施形態）に係る建物について説明する。
なお、以下の実施形態においては、建物が２階建て住宅である場合を例として説明するが、以下に説明する例は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００１５】
まず、図１乃至図３を参照しながら、本発明の第１の実施形態に係る建物１の構造について説明する。図１乃至図３の各図の概要は以下の通りである。
図１には、第１の実施形態に係る建物１の構造の要部を模式的に示しており、具体的には一階部分に当たる下階３と、二階部分に当たる上階２についての外壁、柱及び梁を含む躯体部分の縦断面図を示す。
また、図２には、柱４による第１の梁５及び第２の梁６の支持構造を模式的に示す。
また、図３には、第２の梁６による天井パネル２１の支持構造を模式的に示す。
【００１６】
図１及び図２に示されるように、建物１の基礎７には、柱４が上下方向に延出するように固定されており、柱４の下端は基礎７に取り付けられ、柱４の上端は第１の梁５に取り付けられる。
図２に示されるように、第１の梁５は所定の間隔で配置される複数の柱４により支持される。また、図２に示されるように、複数の柱４の間には筋交い８を斜めに渡すことで、柱４が補強されている。なお、柱４には、筋交い８により補強されるものと、そうでないものとが混在していることとしてよい。
【００１７】
図１に示されるように、第１の梁５は、断面がＨ型の金属部材であり、下フランジ部５１と上フランジ部５２を有する。
同様に、第２の梁６は、断面がＨ型の金属部材であり、下フランジ部６１と上フランジ部６２を有する。
ここで、第２の梁６は、上階２の床２Ａを支持する床梁（胴差し）である。また、第２の梁６のうち、第１の梁５により支持される箇所を梁６Ａとし、それ以外の箇所を梁６Ｂとする。なお、梁６Ａと梁６Ｂとは、金具又は溶接により互いに接合されていることとする。
【００１８】
図１及び図２に示されるように、第１の梁５の下フランジ部５１には、柱４の上端がボルト等の締結具を用いて固定され、柱４により下方から支持される。
また、梁６Ａの下フランジ部６１には、第１の梁５の上フランジ部５２がボルト等の締結具を用いて固定され、第１の梁５により下方から支持される。このようにして、柱４の上に、第１の梁５及び第２の梁６が固定される。
なお、梁６Ａの下フランジ部６１と、第１の梁５の上フランジ部５２の幅は略等しい。
【００１９】
ここで、図３に示されるように、第２の梁６の下フランジ部６１には、天井吊り具２０が所定の間隔で取り付けられている。そして、天井吊り具２０により、下階３の天井部材である天井パネル２１が保持される。
このように梁を第１の梁５及び第２の梁６の二段重ねで構成し、上段の第２の梁６により天井パネル２１が支持されるようにしたことで、下階３の天井高を上げることができる。
なお、天井パネル２１は、第２の梁６により直接的に支持される形態に限らず、第２の梁６により支持される床２Ａ等の部材に天井パネル２１を取り付けることで第２の梁６により間接的に支持されるようにしてもよい。
【００２０】
なお、本実施形態では、第１の梁５を、第２の梁６よりも上下方向において長く構成することとしている。すなわち、第１の梁５の下フランジ部５１と上フランジ部５２を接続するウェブの長さが、第２の梁６の下フランジ部６１と上フランジ部６２を接続するウェブの長さよりも長い。こうすることにより、第１の梁５の断面積が第２の梁６の断面積よりも大きくなる。この場合には、第１の梁５の強度が高くなるため、第１の梁５を支持する柱４の間隔を広く取ることができる。
もちろん、第１の梁５と第２の梁６の上下方向の長さは上記の例に限定されるものではなく、第１の梁５と第２の梁６の上下方向の長さを等しくしてもよいし、第１の梁５よりも第２の梁６の上下方向の長さを長くしてもよい。
【００２１】
また、図１に示されるように建物１の第１の梁５と第２の梁６の外側には、建物１の外壁となる外壁パネル１２Ａ（第１の外壁部）及び外壁パネル１２Ｂ（第２の外壁部）が配置される。
【００２２】
外壁パネル１２Ａは、主に上階２の外壁を構成し、壁面となる面材１０Ａ、及び断熱材等を含むパネルフレーム１１Ａを有する。
例えば、外壁パネル１２Ａは、取付部材を介して第２の梁６に対して固定されることとする。
【００２３】
外壁パネル１２Ｂは、主に下階３の外壁を構成し、壁面となる面材１０Ｂ、及び断熱材等を含むパネルフレーム１１Ｂを有する。
例えば、外壁パネル１２Ｂは、取付部材を介して第１の梁５に対して固定されることとする。
【００２４】
また、外壁パネル１２Ａと外壁パネル１２Ｂの継ぎ目には、目地材からなる接合部１３が設けられる。この接合部１３は、第１の梁５と第２の梁６の少なくとも一方と上下方向において重なる位置に配される。換言すれば、接合部１３は、上下方向における、第１の梁５の下フランジ部５１（下端）から、第２の梁６の上フランジ部６２（上端）までの範囲と重なる位置に配される。
【００２５】
以上説明した建物１では、下階３に配置される、上下方向に延出する柱４と、柱４により支持される第１の梁５と、第１の梁５の上に固定される、上階２の床２Ａを支持するための第２の梁６と、を備え、第２の梁６に下階３の天井パネル２１が取り付けられる。
こうすることで、柱４を長くすることなく、梁を二段重ねにして天井パネル２１を取り付ける位置を高くすることで、下階３の天井高を上げることができる。このように、柱４で高さを増すのではなく、強度の高い梁により高さを増すようにしたことで、建物１の構造躯体の強度を確保したまま下階３の天井高を上げることができる。
【００２６】
また、建物１において、上階２と下階３の外壁となる外壁パネル１２Ａと外壁パネル１２Ｂの接合部１３は、第１の梁５の上端から第２の梁６の下端までの範囲と上下方向で重なる位置にある。
こうすることで、外壁パネル１２Ａと外壁パネル１２Ｂのそれぞれに第１の梁５と第２の梁６とが対向するように配置可能なため、外壁パネル１２Ａと外壁パネル１２Ｂを建物１物の躯体に取り付けしやすくなる。
【００２７】
また、建物１において、第１の梁５と、第２の梁６の上下方向の長さを異なるようにすることで、上階２の床の高さと下階３の天井高を、第１の梁５と第２の梁６の上下方向の長さに応じて調整することができる。
【００２８】
また、建物１において、第１の梁５を第２の梁６よりも断面積が大きく構成することで、第１の梁５を支持する柱４の配置間隔を広くすることができる。これにより、下階３に大きな開口を設けることができる。
【００２９】
なお、上記の実施形態では、図２に示されるように、第１の梁５は、梁６Ａの下部において梁６Ａの全体に渡って設けられる例について示したが、これに限定されるものではない。
例えば、図４に示されるように、第１の梁５を少なくとも柱４の上方に設け、梁６Ａの全体に渡っては設けなくともよい。
【００３０】
次に、図５を参照しながら、第２の実施形態に係る建物１Ａについて説明する。第２の実施形態に係る建物１Ａは、外壁パネル１２Ａのパネルフレーム１１Ａと、外壁パネル１２Ｂのパネルフレーム１１Ｂが第１の梁５及び第２の梁６を上下で挟む位置に配される点で第１の実施形態と相違する。
【００３１】
また、第２の実施形態に係る建物１Ａでは、第１の梁５と、第２の梁６の梁６Ａの断面の形状を略同一とした点で第１の実施形態と相違する。すなわち、第２の実施形態では、第１の梁５と梁６Ａを共通化することができる。
ここで、上記の第１の梁５と梁６Ａの断面形状が略同一とは、第１の梁５と梁６Ａのそれぞれのフランジとウェブのサイズが略同一であることでとする。
また、第１の梁５と梁６Ａとの梁の長さは同じであってもよいし、異なっていてもよい。
【００３２】
また、第２の実施形態に係る建物１Ａでは、外壁パネル１２Ａと外壁パネル１２Ｂのサイズを略同一とした点で第１の実施形態と相違する。すなわち、第２の実施形態では、外壁パネル１２Ａと外壁パネル１２Ｂを共通化することができる。当然のことながら、上記の場合には、面材１０Ａと面材１０Ｂ、パネルフレーム１１Ａとパネルフレーム１１Ｂはそれぞれ略同一のものとなる。
ここで、上記の外壁パネル１２Ａと外壁パネル１２Ｂのサイズが略同一とは、外壁パネル１２Ａと外壁パネル１２Ｂとの少なくとも上下方向の長さが略同一であることを含む。また、上記の外壁パネル１２Ａと外壁パネル１２Ｂのサイズが略同一とは、外壁パネル１２Ａと外壁パネル１２Ｂとの上下方向、幅方向、厚み方向の全てのサイズが略同一であることしてもよい。
【００３３】
第２の実施形態に係る建物１Ａによれば、第１の梁５と外壁パネル１２Ｂからなる部材モジュール（換言すれば梁６Ａと外壁パネル１２Ａの部材モジュール）を複数組み合わせることで、建物１と同様に下階３の天井高を上げる構造を構築することができる。
【００３４】
このように、第１の梁５と梁６Ａを共通化し、また外壁パネル１２Ａと外壁パネル１２Ｂを共通化することにより、建築資材の生産負荷を軽減することができる。
【００３５】
また、第２の実施形態に係る建物１Ａにおいても、面材１０Ａと面材１０Ｂの接合部１３は、第１の梁５の下端と、第２の梁６の上端との間の範囲と上下方向で重なる位置に配される。
【００３６】
本発明は上記の実施形態に限定されるものではない。例えば、第１の実施形態に係る建物１においても、建物１Ａと同様に、第１の梁５と梁６Ａを共通化するとともに、外壁パネル１２Ａと外壁パネル１２Ｂを共通化することとしてもよい。
【００３７】
また、本発明は３階建て以上の建物にも適用可能である。また、第１の梁５を支持する支持部材は柱４に限られず、耐力壁等を用いても構わない。
【符号の説明】
【００３８】
１  建物
１Ａ  建物
２  上階
２Ａ  床
３  下階
３Ａ  床
４  柱
５  第１の梁
６  第２の梁
６Ａ  梁
６Ｂ  梁
７  基礎
８  筋交い
１０Ａ  面材
１０Ｂ  面材
１１Ａ  パネルフレーム
１１Ｂ  パネルフレーム
１２Ａ  外壁パネル（第１の外壁部）
１２Ｂ  外壁パネル（第２の外壁部）
１３  接合部
２０  天井吊り具
２１  天井パネル（天井部材）
５１  下フランジ部
５２  上フランジ部
６１  下フランジ部
６２  上フランジ部
【図１】
2018159243.tif 000003
【図２】
2018159243.tif 000004
【図３】
2018159243.tif 000005
【図４】
2018159243.tif 000006
【図５】
2018159243.tif 000007